(57)【特許請求の範囲】
【請求項１】
ＵＨＦ帯有効領域内で自他送信機から無線伝送されるリモートコントロール信号を受信する受信手段と、
前記受信手段で受信されたリモートコントロール信号に含まれる個別認識情報と操作制御情報を取得する情報取得手段と、
前記情報取得手段で得られた前記個別認識情報を記憶する記憶手段と、
前記記憶手段に記憶された前記個別認識情報のリストを要求に応じて提示する提示手段と、
前記提示された個別認識情報のリスト以外の独自の個別認識情報を前記自送信機にプリセットするための設定手段と、
前記情報取得手段で得られた個別認識情報と前記設定手段でプリセットされた個別認識情報とを比較し、両者が一致したときに有効と判定して、前記情報取得手段で得られた操作制御情報を出力する出力制御手段とを具備し、
前記設定手段は、前記個別認識情報のプリセット時に、予め前記操作制御情報によって制御可能な操作項目を特定して前記出力制御手段に設定し、
前記出力制御手段は、前記設定手段で特定された操作項目に該当する操作制御情報のみを出力することを特徴とするリモートコントロール信号の受信機器。
【請求項２】
前記出力制御手段は、前記リモートコントロール信号に含まれ、システムを第１の処理モードの状態または第２の処理モードの状態に設定切り替えする切替信号を取り込む手段を備え、第１の処理モードでは、前記記憶手段に既に記憶された個別認識情報を参照することにより、新規の個別認識情報を前記記憶手段に格納し、第２の処理モードでは、前記リモートコントロール信号に含まれる個別認識情報が前記設定手段でプリセットされた個別認識情報と同一の場合に、前記操作制御情報を出力することを特徴とする請求項１記載のリモートコントロール信号の受信機器。
【発明の詳細な説明】
【０００１】
【発明の属する技術分野】
この発明は、リモートコントロール機能を有する機器において、複数の機器を個別に制御するために予め決められた個別認識情報（ＩＤ番号）を含んだリモートコントロール信号のＩＤ番号を監視し、現在使用されているＩＤ番号リストをユーザーに提示して、それ以外の任意の番号をプリセットさせることができるリモートコントロール信号の受信機器に関する。
【０００２】
【従来の技術】
周知のように、一般的な民生機器において、広くリモートコントロール操作を可能にした電子機器が普及している。このリモートコントロールの方法としては、例えば赤外線を利用した赤外線リモコン信号による制御が多く採用されている。
【０００３】
なお、リモートコントロール信号（以下、リモコン信号と称する）は、送信機内にて図１０に示すようなデジタル信号を、３８ｋＨｚ（周期２６．３μｓ）発振の赤外線により、図１０のタイミングで間欠発振されて、送信機から出力される。
【０００４】
リモコン信号は、図１０（ａ）に示すように、例えば１０８ｍｓの間隔で、１回目に図１０（ｂ）に示すようなフォーマットの信号を受信機側に送出する。この１回目の信号は、６７．５ｍｓの有信号期間を持ち、残りの期間は無信号期間である。信号期間は、まず、リーダーコードと称する信号有無の周期の長い（１３．５ｍｓ）期間を有し、続いて２７ｍｓ期間のカスタムコード及び２７ｍｓ期間のデータコードを有している。
【０００５】
このうち、リーダーコードは、９ｍｓの有信号期間と、４．５ｍｓの無信号期間とからなり、データ送信を意味する信号である。カスタムコードは、対象機器を指定する信号であり、前半の８ビットと後半の８ビットとから構成されている。そして、前半の８ビット及び後半の８ビットは、互いに反転関係にある。また、データコードは、実際の制御内容を意味する信号であり、カスタムコードと同様に、前半の８ビットと後半の反転された８ビットとから構成されている。
【０００６】
これら各コードは、図１０（ｃ）に示すように、パルス間隔の長短によって論理レベルを決定しており、ここでは、パルス間隔の長い場合を論理“１”、短い場合を“０”とする。また、パルスの有無、つまり信号の有無は、図１０（ｃ），（ｄ）から理解されるように、キャリアの有無に対応している。図１０（ｄ）は、図１０（ａ）における２回目の信号を示している。キャリアは、例えば３８ｋＨｚ（周期２６．３μｓ）が使われている。
【０００７】
以上のようなリモコン信号は、受信機器に受信されることによって、パルス信号に変換される。このパルス信号は、受信機器内の被制御部の制御処理に供される。
【０００８】
受信機器は、送信機から出力されるリモコン信号を受信しデコードする受信部と、受信部から出力されるデジタル信号を正常なリモコン信号か否かを判定し、この判定結果に基づいて正しいリモコン信号であれば制御信号を出力する判定部と、この判定部から出力される制御信号に基づき、被制御部に対して予め決められた制御を行なう制御部とを備えている。
【０００９】
まず、送信機から出力されるリモコン信号は、受信機器の受信部でキャリアの３８ｋＨｚを検波し、デジタル信号を出力する。このデジタル信号は、一般的には、直流０〜＋５Ｖのデジタル信号として判定部へ供給される。
【００１０】
判定部は、図１０に示すフォーマットのリモコン信号か否かを判定し、正常なリモコン信号と判断した場合には制御部へ制御信号を出力して、被制御部に所定の制御を行なわせる。
【００１１】
また、リモコン制御可能範囲の拡大のため、赤外線を用いずＵＨＦ(Ultra High Frequency)帯の電波を利用したリモコン信号を採用する機器もあり、赤外線リモコンの３８ｋＨｚ発振に代えて３００ＭＨｚのＵＨＦ帯の電波により上記赤外線リモコンと同様な手順でコントロールを可能としている。このＵＨＦリモコン信号は、赤外線リモコン信号と異なり直接受信部が見えなくても電波が到達可能ならば制御できる利点がある。
【００１２】
ところで、受信機器の制御をＵＨＦリモコン信号によって行なう場合、同一機器が複数台あると、同時に同じ動作をしてしまうという問題が生じることになる。これを改善するための方法としては、リモコン信号のコードを変える方法、リモコン信号の周波数を変える方法、リモコン信号にＩＤ番号を付加して判断する方法などが挙げられるが、比較的低価格で実現でき、回路も簡単に構成できることから、ＩＤ番号を付加する方法が最も特徴的である。
【００１３】
このＩＤ番号を付加する方法において、赤外線リモコン信号については、可視範囲での使用が前提となるため、ＩＤ番号の区別を簡単に行なうことができる。これに対しＵＨＦリモコン信号では、該信号の到達距離が長いため、有効エリア内の隣接家屋や隣室で既使用のＩＤ番号と重複しない番号を選択する必要があり、これは非常に困難な作業となってしまうこととなる。
【００１４】
【発明が解決しようとする課題】
以上のように、従来のリモートコントロール信号の受信機器では、例えばＵＨＦリモコン信号を使用した場合に、有効エリア内の隣接家屋や隣室で既使用のＩＤ番号と重複しない番号を選択しなければならないという問題を有している。
【００１５】
この発明の目的は、例えば有効エリア内の隣接した家屋同士が、同一の機器を購入した場合でも、簡単な操作により、同一のＩＤ番号重複による誤動作を防止することが可能なリモートコントロール信号の受信機器を提供することにある。
【００１６】
【課題を解決するための手段】
この発明に係るリモートコントロール信号の受信機器は、ＵＨＦ帯有効領域内で自他送信機から無線伝送されるリモートコントロール信号を受信する受信手段と、前記受信手段で受信されたリモートコントロール信号に含まれる個別認識情報と操作制御情報を取得する情報取得手段と、前記情報取得手段で得られた前記個別認識情報を記憶する記憶手段と、前記記憶手段に記憶された前記個別認識情報のリストを要求に応じて提示する提示手段と、前記提示された個別認識情報のリスト以外の独自の個別認識情報を前記自送信機にプリセットするための設定手段と、前記情報取得手段で得られた個別認識情報と前記設定手段でプリセットされた個別認識情報とを比較し、両者が一致したときに有効と判定して、前記情報取得手段で得られた操作制御情報を出力する出力制御手段とを具備し、前記設定手段は、前記個別認識情報のプリセット時に、予め前記操作制御情報によって制御可能な操作項目を特定して前記出力制御手段に設定し、前記出力制御手段は、前記設定手段で特定された操作項目に該当する操作制御情報のみを出力するようにしている。
【００１７】
この構成によれば、例えばＵＨＦ帯を利用したリモコン信号のＩＤ設定を行なう場合において、有効エリア内の全てのリモコン信号を監視し、受信したリモコン信号に含まれるＩＤ番号のリストをユーザーに対して提示することができるので、隣接家屋とのＩＤ番号重複による誤動作を未然に防止することが可能となる。
【００１８】
【発明の実施の形態】
以下、この発明の実施の形態について図面を参照して詳細に説明する。
図１は、この発明の一実施の形態を示している。
図１において、図中符号１１はＵＨＦ帯のリモートコントローラ専用の送信機であり、この送信機１１から出力されるリモコン信号は、受信機器１２内の受信部１２１にて受信される。この受信機器１２は、リモコン信号を受信してデコードし、該デコード信号にて外部の被制御部を制御するものである。また、受信機器１２は、受信部１２１、判定部１２２、制御部１２３、記憶部１２４、表示部１２５及び設定部１２６を備えている。
【００１９】
すなわち、受信部１２１は、送信機１１からのリモコン信号を受信してデコード処理を施す。デコード処理されたデジタル信号Ｓ１は、判定部１２２に供給され、判定処理に供される。判定部１２２は、入力されたデジタル信号Ｓ１が正常なリモコン信号か否かを判定し、判定の結果正しいリモコン信号である場合、通常モード時には制御信号Ｓ２を制御部１２３に出力し、ＩＤ番号監視モード時にはリモコン信号に含まれるＩＤ番号（ＩＤＣ）を記憶部１２４に格納する。
【００２０】
制御部１２３は、判定部１２２から出力された制御信号Ｓ２に基づいて前記被制御部に対し予め決められた処理を行なわせる。記憶部１２４は、受信した上記ＩＤ番号（ＩＤＣ）を保存し、判定部１２２からの要求信号Ｓ３により、このＩＤ番号リスト（ＩＤＬ）を表示部１２５に表示させる。
【００２１】
また、設定部１２６は、ユーザーからの入力操作により入力された任意のＩＤ番号をプリセットし、これを判定部１２２に出力すると同時に、記憶部１２４に記憶する。このため、設定されたＩＤ番号を含むリモコン信号のみ、被制御部を制御できるようになる。
【００２２】
ここで、特に重要な判定部１２２の処理について図２を参照して説明する。
図２は、判定部１２２に入力されるデジタル信号Ｓ１のカスタムコード入力部（前半のカスタムコード）の波形（図１０（ｃ）のリモコン信号のカスタムコードの前半の波形の一部を反転した波形に相当する）を示すものである。このカスタムコード入力部の波形が、デジタル信号Ｓ１として判定部１２２に入力されたとする。
【００２３】
このデジタル信号波形で、ハイレベル期間は、キャリアの無い期間（無信号入力時）に対応し、ローレベル期間は、キャリアの有る期間（パルス期間）に対応している。判定部１２２はデジタル信号Ｓ１のパルス幅ｔ１とパルス周期ｔ２とにより、図１０（ｃ）に示したカスタムコードの論理レベル“１”，“０”の判定を行なっている。
【００２４】
コード  ０        t1=0.56ms     t 2=1.125ms
コード  １        t1=0.56ms     t 2=2.25ms
ここで、送信機１１の出力バラツキや受信部１２１の受信感度差等によりｔ１，ｔ２共に時間的なバラツキを考慮する必要があり、判定部１２２は、±α時間の許容値を考えて判定する。
【００２５】
リモコン信号の読みとり処理を簡単に説明してゆくと、まず、リモコン信号が受信部１２１に入力された場合、デジタル信号Ｓ１として判定部１２２には図１０（ｂ）のリーダーコードと呼ばれる９ms程度の波形が入力される。判定部１２２は前記説明のパルスと区別するため、最初のパルス幅ｔ１stが一定値以上の値ｔreader( 但し、0.56ms＜ｔreader  ＜9.0ms の所定値である）でリーダーコード入力と判定し、次のパルスからカスタムコードの論理レベル判定処理に移る。
【００２６】
そして、判定部１２２は、論理レベル判定処理を繰り返し、図１０（ｂ）の前半のカスタムコード、後半のカスタムコード（前半のカスタムコードの論理レベルを反転したもの）、前半のデータコード、後半のデータコードまでの全３２ビットが、予め決められているコードと同一な場合に制御信号Ｓ２を制御部１２３へ出力する。
【００２７】
さらに、判定部１２２には、受信部１２１にて受信されたリモコン信号の１０８ms周期で連続コードと呼ばれる図１０（ｄ）の波形が、デジタル信号Ｓ１として入力される。判定部１２２は、前記予め決められているコードが入力された後に、この連続コードが入力された場合に限り制御部１２３へ、キーが連続して押されていることを示す制御信号Ｓ３を出力する。
【００２８】
一方、受信機器１２は、受信されたリモコン信号のＩＤ番号を記憶部１２４に保存しておくためのＩＤ監視モードを具備しており、また、送信機１１にはモード切替用のキーが装備されている。
【００２９】
ここで、受信機器１２の全体的な処理動作を図３のフローチャートを用いて説明する。まず、送信機１１からリモコン信号を受信することにより開始（ステップＳ１１）されると、判定部１２２は、ステップＳ１２で、正常なリモコン信号であるか否かを判別する。そして、正常なリモコン信号でないと判定された場合（ＮＯ）、受信機器１２内の処理動作は終了され、正常なリモコン信号であると判定された場合（ＹＥＳ）、判定部１２２は、ステップＳ１３で、受信部１２１から出力されたデジタル信号Ｓ１がＩＤ監視モード切替信号であるか否かの判定を行なう。
【００３０】
ここで、ＩＤ監視モード切替信号は、送信機１１から送信されるものであって、受信部１２１にてデジタル信号Ｓ１に変換され、判定部１２２に出力される。判定部１２２は、デジタル信号Ｓ１がＩＤ監視モード切替信号であることを認識した場合（ＹＥＳ）に、ステップＳ１４で、ＩＤ監視モードフラグを立て、次回以降に入力されたリモコン信号に対してはＩＤ番号を記憶部１２４に出力する。
【００３１】
また、ステップＳ１３でＩＤ監視モード切替信号でないと判定された場合（ＮＯ）、判定部１２２は、ステップＳ１５で、事前にＩＤ監視モードに設定されていない場合（ＮＯ）、ステップＳ１６で、制御部１２３に対して制御信号Ｓ３を出力し、被制御部への制御処理を行なわせる。
【００３２】
ステップＳ１５において、ＩＤ監視モードが設定されていた場合（ＹＥＳ）、判定部１２２は、ステップＳ１７で、入力されたデジタル信号Ｓ１が通常モード切替信号であるか否かの判定を行なう。
【００３３】
ここで、通常モード切替信号は、送信機１１から送信されるものであって、受信部１２１にてデジタル信号Ｓ１に変換され、判定部１２２に出力される。判定部１２２は、ステップＳ１７で、通常モード切替信号であることを認識しない場合（ＮＯ）、ステップＳ１８で、入力されたＩＤ番号を、記憶部１２４に既に保存されているＩＤ番号と照合し、新規のものである場合（ＹＥＳ）に限り、ステップＳ１９で、入力されたＩＤ番号を記憶部１２４に格納する。また、新規のものでない場合（ＮＯ）、そのまま処理を終了する（ステップＳ２０）。
【００３４】
また、ステップＳ１７において、通常モード切替信号であることを認識した場合（ＹＥＳ）、判定部１２２は、ステップＳ２１で、ＩＤ監視モードフラグをクリアし、記憶部１２４に対して保存したＩＤ番号リストの出力要求信号Ｓ３を出力する。
【００３５】
そして、出力要求信号Ｓ３が入力されると、記憶部１２４は、ステップＳ２２で、保存したＩＤ番号リスト（ＩＤＬ）を表示部１２５に出力する。表示部１２５は、入力されたＩＤ番号リスト（ＩＤＬ）をビデオ信号によるオンスクリーン表示でユーザーに提示する。そこで、ユーザーは、このリスト以外の任意のＩＤ番号を設定部１２６であるパネルボタンによりプリセットすることができる（ステップＳ２３）。この際、ユーザーは、送信機１１に記憶されているＩＤ番号も変更している。
【００３６】
なお、上記実施の形態では、表示部１２５は例えばオンスクリーン表示による表示装置であるが、これに代えて液晶表示装置、蛍光表示管であっても良い。
また、設定部１２６は、例えばパネルボタンであるが、送信機１１にプリセットボタンを装備するなどの方法でも良い。
【００３７】
したがって、上記実施の形態によれば、例えば隣接した家屋同士が、同一の機器を購入した場合でも、送信側でＩＤ番号監視モードに設定しておくだけで、有効エリア内で使用されているＩＤ番号を確認し、使用可能なＩＤ番号をプリセットすることができるので、同一のＩＤ番号の重複による誤動作を未然に防止することができる。また、ＩＤ番号監視モードに設定しておくだけで、新しいＩＤ番号のみ自動的に記憶するようにしているので、面倒な操作を必要とせずに、同一のＩＤ番号の重複による誤動作を未然に防止することができる。
【００３８】
図４は、この発明の第２の実施の形態を示している。
図４において、図中符号２１は、任意のリモートコントローラ専用の送信機であり、この送信機２１から出力されるリモコン信号は、受信機器２２内の受信部２２１にて受信される。この受信機器２２は、先の実施の形態と同様に、リモコン信号を受信してデコードし、該デコード信号にて外部または内部の被制御部を制御するものである。また、受信機器２２は、受信部２２１、判定部２２２、制御部２２３、記憶部２２４、表示部２２５及び設定部２２６を備えている。なお、受信部２２１は、ＵＨＦ帯のリモコン信号受信用の受信部２２１ａと、それ以外の例えば赤外線リモコン信号受信用の受信部２２１ｂとから構成されている。
【００３９】
すなわち、受信部２２１は、送信機２１からのリモコン信号を受信してデコード処理を施す。デコード処理されたデジタル信号Ｓ４は、判定部２２２に供給され、判定処理に供される。判定部２２２は、入力されたデジタル信号Ｓ４が正常なリモコン信号か否かを判定し、判定の結果正しいリモコン信号である場合、通常モード時には制御信号Ｓ５を制御部２２３へ出力し、ＩＤ番号監視モード時には、ＵＨＦ帯のリモコン入力でない場合に制御信号Ｓ５を制御部２２３へ出力し、ＵＨＦ帯のリモコン入力である場合にＩＤ番号（ＩＤＣ）を記憶部２２４に格納する。
【００４０】
制御部２２３は、判定部２２２から出力された制御信号Ｓ５に基づいて前記被制御部に対し予め決められた処理を行なわせる。記憶部２２４は、受信した上記ＩＤ番号（ＩＤＣ）を保存し、判定部２２２からの要求信号Ｓ６に基づいて、このＩＤ番号リスト（ＩＤＬ）を表示部２２５に表示させる。
【００４１】
また、設定部２２６は、ユーザーからの入力操作により入力された任意のＩＤ番号をプリセットする。そして、設定部２２６で設定されたＩＤ番号を判定部２２２に出力する。このため、設定されたＩＤ番号を含むリモコン信号のみ、被制御部を制御できるようになる。
【００４２】
受信機器２２は、受信されたリモコン信号のＩＤ番号を記憶部２２４に保存しておくためのＩＤ番号監視モードを具備しており、送信機２１にはモード切替用のキーが装備されている。
【００４３】
ここで、受信機２２の全体的な処理動作を図５のフローチャートを用いて説明する。なお、図５において、ステップＳ３１，Ｓ３２の処理は、図３のステップＳ１１，Ｓ１２の処理と同様であるので、説明を省略する。
【００４４】
すなわち、判定部２２２は、ステップＳ３３で、受信部２２１から出力されたデジタル信号Ｓ４がＩＤ監視モード切替信号であるか否かの判定を行なう。
ここで、デジタル信号Ｓ４がＩＤ監視モード切替信号であることを認識された場合（ＹＥＳ）、判定部２２２は、ステップＳ３４で、ＩＤ番号監視モードフラグを立て、次回以降に入力されたＵＨＦ帯のリモコン信号に対してはＩＤ番号（ＩＤＣ）を記憶部２２４に格納する。また、ＩＤ監視モード切替信号でないと認識された場合（ＮＯ）、判定部２２２は、ステップＳ３５で、入力されたデジタル信号Ｓ４がＩＤ監視モード解除信号であるか否かを判別する。
【００４５】
そして、ＩＤ監視モード解除信号でないと判定された場合（ＮＯ）、判定部２２２は、ステップＳ３６で、入力されたデジタル信号Ｓ４がＵＨＦ帯のリモコン信号であるか否かを判別し、ＵＨＦ帯のリモコン信号である場合（ＹＥＳ）、ステップＳ３７で、事前にＩＤ監視モードが設定されているか否かを判別する。ＩＤ監視モードが設定されている場合（ＹＥＳ）に、判定部２２２は、ステップＳ３８で、入力されたリモコン信号のＩＤ番号を、記憶部２２４に既に保存されているＩＤ番号と照合し、新規のものである場合（ＹＥＳ）に、ステップＳ３９で、該ＩＤ番号を記憶部２２４に格納し、新規のものでない場合（ＮＯ）、そのまま処理を終了する（ステップＳ４０）。
【００４６】
また、ステップＳ３６において、ＵＨＦ帯のリモコン信号でない場合（ＮＯ）、判定部２２２は、ステップＳ４１で、制御信号Ｓ５を制御部２２３へ出力することにより、被制御部の制御を行なう。さらに、ステップＳ３７において、ＵＨＦ帯のリモコン信号であってもＩＤ監視モードが設定されていない場合（ＮＯ）、判定部２２２は、制御部２２３へ制御信号Ｓ５を出力する。
【００４７】
すなわち、このＩＤ監視モードでは、ＵＨＦ帯のリモコン信号である場合は被制御部への制御は行なわないが、それ以外のリモコン信号に対しては通常通りの制御を行なう。つまり、ＩＤ番号の監視はバックグラウンド処理として行ない、このモードの間はＵＨＦ帯以外を利用したリモコン信号により制御を行なう。
【００４８】
また、ステップＳ３５において、入力されたデジタル信号Ｓ４が通常モード切替信号であると判定された場合（ＹＥＳ）、判定部２２２は、ステップＳ４２で、事前にＩＤ監視モードに設定されているか否かを判定する。ここで、設定されていない場合（ＮＯ）、そのまま通常モードに設定され、設定されている場合（ＹＥＳ）、判定部２２２は、ステップＳ４３で、ＩＤ監視モードフラグをクリアし、記憶部２２４に対して保存したＩＤ番号リストの出力要求信号を出力する。
【００４９】
そして、記憶部２２４は、前記信号が入力されると、保存したＩＤ番号リストを表示部２２５に出力する。表示部２２５は、入力されたＩＤ番号リス卜をビデオ信号によるオンスクリーン表示でユーザーに提示する。このため、ユーザーは、リスト以外の任意のＩＤ番号を設定部２２６であるパネルボタンによりプリセットすることができる（ステップＳ４５）。この際、ユーザーは、送信機２１に記憶されているＩＤ番号も変更している。
【００５０】
なお、上記第２の実施の形態では、表示部２２５はオンスクリーン表示による表示装置であるが、これに代えて液晶表示装置、蛍光表示管であっても良い。
したがって、上記第２の実施の形態によれば、ＵＨＦ帯のリモコン信号以外のリモコン信号でも、兼用に使用することができ、さらに、先の第１の実施の形態と同様に、同一のＩＤ番号の重複による誤動作を未然に防止することができる。
【００５１】
図６は、この発明の第３の実施の形態を示している。
図６において、図中符号３１は、任意のリモートコントローラ専用の送信機であり、この送信機３１から出力されるリモコン信号は受信機器３２内の受信部３２１にて受信される。受信機器３２は、先の第２の実施の形態と同様に、リモコン信号を受信してデコードし、該デコード信号にて外部の被制御部を制御するものである。また、この受信機器３２は、受信部３２１、判定部３２２、制御部３２３、記憶部３２４、表示部３２５及び設定部３２６を備えている。
【００５２】
なお、受信部３２１は、ＵＨＦ帯のリモコン信号受信用の受信部３２１ａと、それ以外の例えば赤外線リモコン信号受信用の受信部３２１ｂとから構成されている。また、判定部３２２は、リモコン信号判定部３２２ａと有効信号判定部３２２ｂとから構成されている。
【００５３】
すなわち、受信部３２１は、送信機３１からのリモコン信号を受信してデコード処理を施す。デコード処理されたデジタル信号Ｓ７は、判定部３２２内のリモコン信号判定部３２２ａに供給され、判定処理に供される。
【００５４】
リモコン信号判定部３２２ａは、入力されたデジタル信号Ｓ４が正常なリモコン信号か否かを判定し、判定の結果正しいリモコン信号である場合に、制御信号Ｓ８を有効信号判定部３２２ｂへ出力する。有効信号判定部３２２ｂは、入力された制御信号Ｓ８が、有効な信号であるか否かを判定し、有効な信号である場合に、通常モード時に制御信号Ｓ９を制御部３２３に出力する。
【００５５】
また、有効信号判定部３２２ｂは、ＩＤ番号監視モード時に、ＵＨＦ帯のリモコン入力でない場合に制御信号Ｓ９を制御部３２３へ出力し、ＵＨＦ帯のリモコン入力である場合にＩＤ番号（ＩＤＣ）を記憶部３２４に格納する。
【００５６】
制御部３２３は、判定部３２２から出力された制御信号Ｓ９に基づいて前記被制御部に対し予め決められた処理を行なわせる。記憶部３２４は、受信した上記ＩＤ番号（ＩＤＣ）を保存し、有効信号判定部３２２ｂからの要求信号に基づいて、このＩＤ番号リスト（ＩＤＬ）を表示部３２５に表示させる。
【００５７】
また、設定部３２６は、ユーザーからの入力操作により入力された任意のＩＤ番号をプリセットし、これを有効信号判定部３２２ｂに出力すると同時に、記憶部３２４に記憶する。このため、設定されたＩＤ番号を含むリモコン信号のみ、被制御部を制御できるようになる。
【００５８】
なお、ＵＨＦ帯を利用したリモコン信号については、操作可能な動作を予め決めておき、それ以外の動作を行なわせる制御信号は前記有効信号判定装置６２２により無視するようにする。操作可能な動作としては誤動作をしても影響が少ないものが望ましく、例えばチャンネルのアップダウンや音声切替などである。これに対し誤動作すると大きな支障をきたす恐れのある動作は制限する必要がある。例えばパネルロック設定やタイマー設定などがこれに当たる。なお、ＵＨＦ帯リモコン信号以外のリモコン信号については動作制限を行なわない。
【００５９】
ここで、受信機器３２の全体的な処理動作を図７のフローチャートを用いて説明する。なお、図７において、ステップＳ５１〜Ｓ６０は、図５のステップＳ３１〜Ｓ３５及びステップＳ４２〜Ｓ４５の処理と同様であるので、説明を省略する。つまり、ＩＤ監視モードの設定及び通常モードの設定は、上記第１，第２の実施の形態と同様である。
【００６０】
すなわち、有効信号判定部３２２ｂは、ステップＳ６１で、入力されたデジタル信号Ｓ７がＵＨＦ帯のリモコン信号であるか否かを判定する。ここで、ＵＨＦ帯のリモコン信号でない場合（ＮＯ）、有効信号判定部３２２ｂは、ステップＳ６２で、制御信号Ｓ９を制御部３２３へ出力することにより、被制御部の制御を行なう。
【００６１】
また、ＵＨＦ帯のリモコン信号である場合（ＹＥＳ）、ステップＳ６３で、事前にＩＤ監視モードが設定されているか否かを判別する。ＩＤ監視モードが設定されている場合（ＹＥＳ）に、有効信号判定部３２２ｂは、ステップＳ６４で、入力されたリモコン信号のＩＤ番号を、記憶部３２４に既に保存されているＩＤ番号と照合し、新規のものである場合（ＹＥＳ）に、ステップＳ６５で、該ＩＤ番号を記憶部３２４に格納し、新規のものでない場合（ＮＯ）、そのまま処理を終了する（ステップＳ６０）。
【００６２】
また、ステップＳ６３において、通常モードに設定されている場合（ＮＯ）、有効信号判定部３２２ｂは、ステップＳ６６で、リモコン使用時に新しく設定されたＩＤ番号であるか否かを判定する。そして、新しく設定されたＩＤ番号でないと判定された場合（ＮＯ）、有効信号判定部３２２ｂは、ステップＳ６２で、制御信号Ｓ９を制御部３２３へ出力することにより、被制御部の制御を行なう。また、新しく設定されたＩＤ番号であると判定された場合（ＹＥＳ）、有効信号判定部３２２ｂは、ステップＳ６７で、該ＩＤ番号が被制御部を制御可能にするものか否かを判定する。
【００６３】
そして、制御可能とするものであれば（ＹＥＳ）、有効信号判定部３２２ｂは、ステップＳ６２で、制御信号Ｓ９を制御部３２３へ出力し、制御可能でない場合（ＮＯ）、そのまま受信機器３２の処理動作を終了させる。
【００６４】
また、通常モード時に、表示部３２５は、ＩＤ番号リストをビデオ信号によるオンスクリーン表示でユーザーに提示する。従って、ユーザーは、このリスト以外の任意のＩＤ番号を設定部３２６であるパネルボタンによりプリセットすることができる。この際、ユーザーは、送信機３１に記憶されているＩＤ番号も変更している。
【００６５】
なお、上記第３の実施の形態では、表示部３２５はオンスクリーン表示による表示装置であるが、これに代えて液晶表示装置、蛍光表示管等であってもよい。また、設定部３２６は例えばパネルボタンであるが、送信機３１にプリセットボタンを装備するなどの方法でもよい。
【００６６】
したがって、上記第３の実施の形態によれば、上記第２の実施の形態と同様にＵＨＦ帯のリモコン信号以外のリモコン信号でも、兼用に使用することができ、同一のＩＤ番号の重複による誤動作を未然に防止することができる。また、重複ＩＤ番号の見落としがあった場合でも、予めリモコン信号による制御が可能な動作を限定しておくことで、誤動作による事故を最小限に抑えることができる。
【００６７】
なお、上記第２，第３の実施の形態において、判定部２２２，３２２の判定処理は、第１の実施の形態と同様に、図２に示す信号のタイミングに基づいている。
【００６８】
なお、上記第１〜第３の実施の形態における送信機１１，２１，３１は、例えば図８に示すブロックで構成される。ここでは、送信機１１を例に説明する。
この送信機１１は、操作部１１１，リモコン制御部１１２，バッファメモリ１１３，変調部１１４，局部発振器１１５及び増幅器１１６を備えている。
【００６９】
すなわち、ユーザーがリモコン操作を行なうと、操作部１１１は、入力操作情報をリモコン制御部１１２に出力する。そして、リモコン制御部１１２は、入力操作情報に基づいて、バッファメモリ１１３に記憶されている情報を変調部１１４に出力する。変調部１１４は、バッファメモリ１１３に記憶されている情報を、局部発振器１１５から出力される局部発振信号と混合することにより変調し、増幅器１１６を介して送信する。
【００７０】
図９は、上記リモコン制御部１１２の動作を説明するためのフローチャートである。
操作部１１１から入力操作情報を受信することにより開始（ステップＳ７１）されると、リモコン制御部１１２は、ステップＳ７２で、入力操作情報がＩＤ変更モードであるか否かを判別する。そして、ＩＤ変更モードであると判定された場合（ＹＥＳ）、リモコン制御部１１２は、ステップＳ７３で、バッファメモリ１１３に記憶されているＩＤ番号を消去し、ステップＳ７４で、ユーザーの入力操作によるテレビジョン受信機等の制御項目及びＩＤ番号を取り入れる。
【００７１】
すると、リモコン制御部１１２は、ステップＳ７５で、入力されたＩＤ番号が新規のＩＤ番号であるか否かを判定し、新規のＩＤ番号でない場合（ＮＯ）、ステップＳ７６で、ユーザーに対して新規ＩＤ番号入力指示を表示し、再びステップＳ７４の処理に移行する。また、新規ＩＤ番号である場合（ＹＥＳ）、リモコン制御部１１２は、ステップＳ７７で、バッファメモリ１１３に新規ＩＤ番号を転送し、ステップＳ７８で、リモコン信号送信指令を受信した場合（ＹＥＳ）に、ステップＳ７９で、リモコン信号の送信を実行させる。
【００７２】
また、ステップＳ７２において、ＩＤ変更モードでない場合（ＮＯ）、リモコン制御部１１２は、ステップＳ８０で、通常操作モードであるか否かを判定し、通常操作モードである場合（ＹＥＳ）、ステップＳ８１，Ｓ８２で、入力待機状態に設定し、ステップＳ７８の処理に移行する。
【００７３】
また、ステップＳ８０において、通常操作モードでないと判定された場合（ＮＯ）、リモコン制御部１１２は、ステップＳ８３で、ＩＤ取り込み表示モードに設定されているか否かを判定し、ＩＤ取り込みモードに設定されている場合（ＹＥＳ）、ステップＳ８２の処理に移行する。さらに、ＩＤ取り込み表示モードに設定されていない場合（ＮＯ）、ステップＳ７２の処理に移行する。
【００７４】
したがって、上記第１〜第３の実施の形態における送信機１１，２１，３１は、上記のようなブロック構成を持ち、動作することにより、受信機器側で新規ＩＤ番号が設定されると同時に、送信機側で受信機器側に対応した新規ＩＤ番号が設定される。
【００７５】
【発明の効果】
以上詳述したようにこの発明によれば、例えば有効エリア内の隣接した家屋同士が、同一の機器を購入した場合でも、簡単な操作により、同一のＩＤ番号重複による誤動作を防止することが可能なリモートコントロール信号の受信機器を提供することができる。
【図面の簡単な説明】
【図１】この発明に係るリモートコントロール信号の受信機器の一実施の形態を示すブロック構成図。
【図２】同実施の形態の判定部に入力されるデジタル信号のカスタムコード入力の一部の波形を示す図。
【図３】同実施の形態における受信機器の動作を説明するために示すフローチャート。
【図４】この発明の第２の実施の形態を示すブロック構成図。
【図５】同第２の実施の形態における受信機器の動作を説明するために示すフローチャート。
【図６】この発明の第３の実施の形態を示すブロック構成図。
【図７】同第３の実施の形態における受信機器の動作を説明するために示すフローチャート。
【図８】各実施の形態における送信機の詳細を説明するためのブロック構成図。
【図９】各実施の形態における図８中のリモコン制御部の動作を説明するために示すフローチャート。
【図１０】一般的な赤外線リモートコントロール信号のフォーマットを示す図。
【符号の説明】
１２…受信機器、
１２１…受信部、
１２２…判定部、
１２３…制御部、
１２４…記憶部、
１２５…表示部、
１２６…設定部。
【図１】
0003724891.tif 000002
【図２】
0003724891.tif 000003
【図３】
0003724891.tif 000004
【図４】
0003724891.tif 000005
【図５】
0003724891.tif 000006
【図６】
0003724891.tif 000007
【図７】
0003724891.tif 000008
【図８】
0003724891.tif 000009
【図９】
0003724891.tif 000010
【図１０】
0003724891.tif 000011